(57)【特許請求の範囲】
【請求項１】
注射器（６）用のハウジング（１）、
前方後方位置間で移動可能でありかつ付勢手段（３５）により前方へ付勢されてハウジング（１）の先端に設置された、針を覆うための針シュラウド（１４）、および
ハウジング（１）に対する後退位置と前進位置間での使用時の移動のために注射器（６）を担持する注射器担体（２３）を含み、
注射時に注射器（６）が前方へ移動して後方位置における針シュラウド（１４）から針（１１）を突出させ、かつ針（１１）を覆うために前方位置へ移動した針シュラウド（１４）がハウジング（１）の一部とスナップ式に係合することにより後方位置へ後退することを阻止する、針を備えた注射器用注射装置において、
前記針シュラウド（１４）は、前記ハウジング内の当接部（２１）を、針シュラウドの運動軸に対して斜角で、通過して延びた少なくとも一つの後方延長フィンガ（１８）を有し、
前記後方延長フィンガ（１８）は、前記針シュラウドが後方位置から前方位置へ移動するときに前記後方延長フィンガの先端が前記当接部（２１）を通過するように徐々に円周方向へ屈曲し、
前記後方延長フィンガ（１８）は、前記後方延長フィンガの先端が前記当接部（２１）の前方に達することにより自然形態へ戻るように配置され、それにより前記針シュラウド（１４）が前方位置へ戻った後に前記針シュラウドが後方へ移動するのを阻止することを特徴とする、注射器用注射装置。
【請求項２】
前記針シュラウド（１４）はバレル形ハウジングへ格納されている、請求項１の注射装置。
【請求項３】
前記針シュラウド（１４）および前記ハウジング（１）が回転体である場合に、前記針シュラウドが前記ハウジングに対して回転するのを阻止するために回転防止手段（１７）が設けられている、請求項２の注射装置。
【請求項４】
前記回転防止手段（１７）は前記ハウジング（１）からの前記針シュラウド（１４）の完全離脱を阻止するめための手段（１９）に組み合わされている、請求項３の注射装置。
【請求項５】
少なくとも一つの後方延長フィンガ（１８）に相対的に長い他のフィンガ（１７）が後方延長フィンガ（１８）から分岐した状態で連結され、前記後方延長フィンガ（１８）および他のフィンガ（１７）が前記ハウジング（１）内の当接部（２１）の二つの対向端間に形成された共通の間隙（２０）へ延長している、請求項１から４のいずれか１の注射装置。
【請求項６】
前記他のフィンガ（１７）は、前記針シュラウド（１４）が前方位置へ達するときに前記当接部（２１）の背後と効果的に係合するフック形部（１９）を自由後端に有する、請求項５の注射装置。
【請求項７】
前記ハウジング内の当接部（２１）は、注射前に前記注射器（６）を担持する注射器担体（２３）を設置する作用をする、請求項１から５のいずれか１の注射装置。
【請求項８】
前記ハウジング内の当接部（２１）は前記注射器（６）の前方移動に制限を加える、請求項７の注射装置。
【請求項９】
前記ハウジングは、前記注射装置の使用のために前方へ除去可能なキャップ（２）を有し、前記ハウジングの後方へ延在して前記注射器担体（２３）と共働しかつ前記当接部（２１）からの前記注射器担体の離脱を阻止する管状部（５）を有する、請求項７または８の注射装置。
【請求項１０】
注射器（６）用のハウジング（１）、
前方後方位置間で移動可能でありかつ付勢手段（３５）により前方へ付勢されてハウジング（１）の先端に設置された、針を覆うための針シュラウド（１４）、および
ハウジング（１）に対する後退位置と前進位置間での使用時の移動のために注射器（６）を担持する注射器担体（２３）を含み、
注射時に注射器（６）が前方へ移動して後方位置における針シュラウド（１４）から針（１１）を突出させ、かつ針（１１）を覆うために前方位置へ移動した針シュラウド（１４）がハウジング（１）の一部とスナップ式に係合することにより後方位置へ後退することを阻止する、針を備えた注射器用注射装置において、
前記針シュラウド（１４）は、前記ハウジング内の当接部（２１）を、針シュラウドの運動軸に対して斜角で、通過して延びた少なくとも一つの後方延長フィンガ（１８）を有し、
前記後方延長フィンガ（１８）は、前記針シュラウドが後方位置から前方位置へ移動するときに前記後方延長フィンガの先端が前記当接部（２１）を通過するように徐々に屈曲し、
前記後方延長フィンガ（１８）は、前記後方延長フィンガの先端が前記当接部（２１）の前方に達することにより自然形態へ戻るように配置され、それにより前記針シュラウド（１４）が前方位置へ戻った後に前記針シュラウドが後方へ移動するのを阻止し、
前記後方延長フィンガ（１８）に相対的に長い他のフィンガ（１７）が後方延長フィンガ（１８）から分岐した状態で連結され、前記後方延長フィンガ（１８）および他のフィンガ（１７）が前記当接部（２１）内の共通の間隙（２０）へ延長していることを特徴とする、注射器用注射装置。
【発明の詳細な説明】
【技術分野】
【０００１】
本発明は医療用注射装置に関する。本発明は、注射器がハウジング内に位置し、初期には完全にケースに収納されているが、ハウジングが一旦開封されれば針が突出しかつ薬を投与するために前方へ移動する装置に関する。使用者は注射器それ自体ではなくハウジングを保持する。
【背景技術】
【０００２】
ハウジングにより担持され、かつ注射後に針を隠す位置へシフトする針シュラウドを有することは既知である。かかるシュラウド（shroud、即ち、針を覆うもの)はその後に移動することなく、針の再露出の危険を伴わないことが重要である。
【発明の開示】
【発明が解決しようとする課題】
【０００３】
本発明の目的は、かかるシュラウドを自動的にそのハウジングへ係止する簡単かつ信頼性のある方法を提供することにある。
【課題を解決するための手段】
【０００４】
本発明は、注射器用のハウジング、前方後方位置間で移動可能でありかつ付勢手段により前方へ付勢されてハウジングの先端に設置された、針を覆うための針シュラウド、およびハウジングに対する後退位置と前進位置間での使用時の移動のために注射器を担持する注射器キャリアを含み、注射時に前記注射器が前方へ移動して後方位置における前記針シュラウドから針を突出させ、かつ針を覆う前方位置へ移動した前記針シュラウドが前記ハウジングの一部とスナップ式に係合することにより後方位置へ後退することを阻止するように構成された、針を備えた注射器用注射装置を提供する。ここで、『注射器キャリア』は注射器を担持する「注射器担体」を意味する。
かかる注射器用注射装置において、本発明によれば、前記針シュラウドは、前記ハウジング内の当接部を、針シュラウドの運動軸に対して斜角で、通過して延びた少なくとも一つの後方延長フィンガを有し、前記後方延長フィンガは、前記針シュラウドが後方位置から前方位置へ移動するときに前記後方延長フィンガの先端が前記当接部を通過するように徐々に屈曲し、前記後方延長フィンガは、前記後方延長フィンガの先端が前記当接部の前方に達することにより自然形態へ戻るように配置され、それにより前記針シュラウドが前方位置へ戻った後に前記針シュラウドが後方へ移動するのを阻止することを特徴とする。
【０００５】
好適には、前記シュラウドはバレル形ハウジングへ格納されている。前記シュラウドは前記ハウジング内の当接部を通過して延びた少なくとも一つの後方延長フィンガを有し、前記フィンガは、前記シュラウドが前記後方位置から前記前方位置へ移動するときに前記フィンガの先端が前記当接部を通過するように屈曲する。その後に、前記フィンガの先端が前記当接部の前方に達することにより前記フィンガは自然形態へ戻り、それにより前記シュラウドが後方へ移動するのを阻止する。
【０００６】
好都合には、前記後方延長フィンガの屈曲は円周方向であり、この場合、前記針シュラウドおよび前記ハウジングが回転体である場合には、前記針シュラウドが前記ハウジングに対して回転するのを阻止するために回転防止手段が設けられている。前記回転防止手段は前記ハウジングからの前記シュラウドの完全脱出を阻止するめための手段に組み合わされていてよい。前記後方延長フィンガに対して相対的に長い他のフィンガが前記後方延長から分岐した状態で連結され、前記後方延長フィンガと他のフィンガとが対で前記ハウジング内の当接部の二つの対向端間に形成された共通ギャップ、即ち、一つの間隙へ延長している。前記他のフィンガはフック形部を自由後端に有し、かつ前記フック形部は前記針シュラウドが前方位置へ達するときに前記当接部の背後に効果的に係合する構成である。前記針シュラウドが前方へ移動するときに、対の前記フィンガは当接部の二つの対向端間の間隙の対向端により共に圧搾され、相対的に短い後方延長フィンガが前記間隙を通過しかつ相対的に長い他のフィンガからバネ力により離れる。
【０００７】
前記ハウジング内の当接部は注射前に前記注射器のためにキャリアを設置する作用をし、かつ前記注射器のカプセルの前方移動に制限を加えるものであってよい。
【０００８】
好適形態において、前記ハウジングは前記注射装置の使用のために前方へ除去可能なキャップを有し、前記ハウジングの後方へ延在して前記キャリアと共働しかつ前記当接部からのキャリアの離脱を阻止する管状部を有する。換言すれば、前記管状部は前記キャリアを注射前の位置に保持しかつ時期尚早の操作を阻止する。しかし、前記キャップが一旦除去されると、前記キャリアは前記当接部から離脱可能である。
【０００９】
本発明の理解を容易するために、添付図面を参照して例示として本発明の一形態を次に説明する。
【発明を実施するための最良の形態】
【００１０】
本発明による注射装置は自動注射システムの一部を形成することを意図している。注射器負荷駆動機構は注射装置の後端に取付けられ、かつ解放または発射されるときに、かかる駆動機構は注射装置内の注射器上に作用して注射器を前方へ押しかつ投与量を噴出させる。かかる駆動機構は既知でありかつ従って詳細には図示かつ説明しない。
【００１１】
注射装置は初期において細長いキャップ２により先端で閉鎖された円筒状バレル１を有する。キャップはバレル１へ差し込まれる相対的に短い外管状部３を有し、バレルは環状リブ４、および注射器６の長手の約３／４を封入するために初期においてバレル１側へ延長した相対的に長い凹角（re-entrant）管状部５により制限される。注射器はプランジャ９が突出する後端フランジ８を有するカプセル７を有する従来形成であり、かつその細い先端にはシース１２に被覆された針１１を有する針組立体１０が設けられている。凹角管状部５の内部に三角形の環状リブ１３が形成され、これは組立時にシースの拡大ベースにスナップ係止しかつその背後に係合する。
【００１２】
注射装置の初期状態において凹角管状部５の前方半分の周囲には管状針シュラウド１４が設けられている。針シュラウドはショルダ１５で段構成され短い後管状部１６へ伸長し、その自由リムから後方へ二対のフィンガ１７および１８が突出する。一対のフィンガは図７に最良に示されている。フィンガ１７は相対的に長く、軸方向へ平行に延び、かつ後端に外方に突出したバーブ(barbs)１９を有する分岐で終端している。相対的に短いフィンガ１８は平面端を有し、かつフィンガ１７から僅かに円周方向へ分岐している。図８に詳細に示されたように、初期において、二対のフィンガはバレル１の内側で環状リブ２１において直径方向で対峙したギャップ２０へ侵入している。針シュラウド１４を形成するプラスチック材料は、フィンガ１８を対のフィンガ１７へ向けて屈曲させ、組立状態においてギャップ２０への通過を可能にするように形成される。
【００１３】
カプセル６の後端の周囲には、図９に最良に示されたように、注射器キャリア２３が弾性ブッシュ２２を媒介して設けられる。注射器キャリアは後端に二つの略半円形外方フランジ２５を備えた短い円筒部２４を有し、半円形フランジ２５間にはギャップ２７および２８を形成するスタッド２６が設けられている。二対の直径方向に対峙したフィンガ２９および３０は円筒部２４の前方端から突出し、フィンガ２９は、ギャップ２０よりも円周方向において幅広く、各歯３１の後方に短い間隔をおいて円形リブ３２を備えた角度付き歯３１の外方で終端している。前方側の面取りまたは角度は、組立時に歯がリブ２１にスナップ係止されるときに役立つ。他対のフィンガ３０は相対的に狭く、僅かに長く、かつフィンガ３０とフランジ３３との間の各コーナーの外側に切欠き（rebate）３４が形成され内方フランジ３３で終端している。切欠き３４の半径面はフィンガ２９の端と同一面である。螺旋バネ３５は切欠き３４により支持される後端を有し、かつフィンガ２９の端に付勢され、かつその前方端はショルダ１５に対して作用する。組立時に、フィンガ２９および３０は凹角管状部５の後端上に重ねられ、かつ歯３１およびリブ３２はギャップ２０の両側でリブ２１のまわりに係合する。フィンガ１７の端はギャップ２７へ延びかつそのバーブ１９はフランジ２５、および注射器キャリア２３のスタッド２６の背後に掛止する。フィンガ１８の先端は、ギャップ２８の反対側になり、かつバネ３５を弛緩させる。
【００１４】
使用に際して注射装置を準備するために、キャップ２は図２および３に示されたように取り外される。シース１２は、シース１２の背後に係合するリブ１３によって針１１から引き出される。シース１２の初期解放時に、管状部５の後端はフィンガ２９上に重なり、それによりフィンガ２９の内方への屈曲を阻止しかつリブ３２をリブ２１の後側に係合維持する。キャリア２３は、従って、シース１２と共に前方へ引っ張られない。しかし、シース１２が一旦針組立体１０から自由になると、管状部５によるフィンガ２９の内部支持は消失し、フィンガ２９の内方への屈曲を可能にする。
【００１５】
更に、初期において、針シュラウド１４は、後管状部１６の後端がリブ２１に当接するので後方移動できず、かつバーブ１９が不動注射器キャリア２３のフランジ２５およびスタッド２６の背後に掛止されるので前方へ移動しない。
【００１６】
そこで、注射装置は患者の皮膚へ設置されプランジャ９が付勢される。プランジャは、カプセル内の薬の有効投与量に応じて注射器および注射器キャリア２３全体をバレル１に対して前方へ押し出す。リブ３２はこの運動の開始時にはリブ２１とスナップ係止している。注射器はリブ２１に対して当接するフランジ２５によって拘束され、それによりバネ３５が圧縮され、かつ針１１は完全に突出する。プランジャ９を更に押圧することにより投与量が噴射する。針シュラウド１４は射出領域の周りに固く係合することにより初期後方位置に保持される。
【００１７】
注射装置を引き出した後に、針はバネ３５によって前方へ押されたシュラウド１４により図６に示された位置に保護される。バネはフィンガ１７および１８をギャップ２０へ引き出し、フィンガ１８は付勢されて、分岐が効果を発揮するときにフィンガ１７へ向かって曲折する。しかし、フィンガ１８が一旦リブ２１を通過すると、フィンガ１８は跳ね返って自然の直線状態に戻る。このことは、シュラウド１４を後方へ再度押すことが試みられる場合に、フィンガ１８がリブ２１に当接することを意味する。同時に、バーブ１９は注射器キャリア２３の後端と再度係合し、注射器キャリアのフランジ２５はリブ２１に衝突し、そのようにしてバレルから針シュラウドを引き抜こうとする試みを断念させる。従って、シュラウド１４は拘束され、針１１は安全にその中に保持される。
【図面の簡単な説明】
【００１８】
【図１】使用前から使用後に至る工程の一工程における注射装置を示す軸断面である。
【図２】使用前から使用後に至る工程の一工程における注射装置を示す軸断面である。
【図３】使用前から使用後に至る工程の一工程における注射装置を示す軸断面である。
【図４】使用前から使用後に至る工程の一工程における注射装置を示す軸断面である。
【図５】使用前から使用後に至る工程の一工程における注射装置を示す軸断面である。
【図６】使用前から使用後に至る工程の一工程における注射装置を示す軸断面である。
【図７】注射装置の一部を形成する針シュラウドの斜視図である。
【図８】図３のVIII-VIIIの断面図である。
【図９】注射装置の一部を形成する注射器キャリアの斜視図である。
【図１０】注射装置の断面斜視図である。
【図１】
0004435564.tif 000002
【図２】
0004435564.tif 000003
【図３】
0004435564.tif 000004
【図４】
0004435564.tif 000005
【図５】
0004435564.tif 000006
【図６】
0004435564.tif 000007
【図７】
0004435564.tif 000008
【図８】
0004435564.tif 000009
【図９】
0004435564.tif 000010
【図１０】
0004435564.tif 000011